(57)【要約】      （修正有）【課題】車椅子や簡易トイレなどにつけたオマルを使用した後の処理に手間がかからずオマルが汚れる事が少なく、衛生的に処理する事が出来、介護者や付き添いの方の負担も少なくなるオマルカバーを提供する。【解決手段】オマルにオマルカバー内側７の部分を、オマルの開口部にセットし、固定する。さらに、開口部包装部材５をオマルの内側に折りこんで、その上部を開口部７で覆う。トイレ使用後オマルから７の部分を取り外し、開口部７を折り曲げ包み込む。その上から開口部包装部材５で包み、包み込んだ開口部包装部材５をテープ６でとめる。紐などで結んだり別の容器でまた包んだりする必要がない。また、オマルカバーの素材は、紙（再生紙も含む）・ビニール・水分吸収材・消臭剤・不透水素材などで作り、汚物や液体などの漏れをふせぐ。オマルカバーの開口部分はゴム・伸縮性素材・紙(再生紙も含む)素材とする。【選択図】図１
0003179250.tif 000002
【実用新案登録請求の範囲】
【請求項１】
車椅子・簡易トイレなどのオマルに付けるオマルカバーは、５をオマルカバー底の方に折り曲げ７をオマル開口部にセットするだけで容易にセット出来、使用後７をオマル開口部から外したらオマルカバーを折り曲げ包み込んでテープ６で固定します。コンパクトに衛生的に処理出来る事を特徴とするオマルカバー。
【請求項２】
オマルカバー開口部とオマルカバー全体の素材は、紙素材(再生紙も含む)・水分吸収材・不透水剤、消臭剤・ゴム・収縮材・ポリエチレン・ポリエステル(混ぜ合わせた素材も含む)であることを特徴とするオマルカバー。
【考案の詳細な説明】
【技術分野】
【０００１】
本考案は体に障害が有り介護者や付き添いの方を必要とする方の為の、車椅子のトイレ機能付きや簡易トイレなどのオマルに関するものである。
【背景技術】
【０００２】
施設や在宅などで使われている簡易トイレにはオマルが付いていますがそのオマルは、使用される時オマルに直接何もひかずに使用されている為、汚物などが付き汚れていました。
【考案の概要】
【考案が解決しようとする課題】
【０００３】
そのオマルの汚物はトイレなどに持って行って処理されます、その後オマルを洗える様な洗面所などで石鹸などを付けて洗います。すすぎ終わったら布などで拭きますこのような流れが一般的です。
【０００４】
車椅子などで出かけた時や旅行先などでは、オマルを洗うとき、気を使わずに洗える所が無い時などがあります。
【０００５】
また自宅や施設などでも忙しい時やオマルを洗う所が空いてない時などは同様に困ります。
【課題を解決するための手段】
【０００６】
本考案のオマルカバーの素材は、紙(再生紙も含む)・ビニール・水分吸収材・消臭剤・不透水素材などで出来ており、汚物や液体などの漏れもふせぎます。オマルカバーの開口部分はゴム・収縮性素材・紙(再生紙も含む)素材を特徴とするオマルカバー。
【０００７】
オマルにオマルカバー内側７の部分がオマルの開口部にセット出来、固定できるようになっています。開口部包装部材５をオマルの内側に折りこんで、その上部を開口部７で覆います。トイレ使用後オマルから７の部分を取り外し開口部７を折り曲げ包み込みます。その上から開口部包装部材５で包み込みます。包み込んだ開口部包装部材５をテープ６でとめます。紐などで結んだり別の容器でまた包んだりする必要がないので介護者や付き添いの方の負担も少なくなります。
【考案の効果】
【０００８】
本考案のオマルカバーは、オマルに容易にセット出来オマルが汚れる事が比較的少ないのでオマルを洗う事が少なくなり、介護者や付き添いの方の手も比較的汚れる事が少なくなります。オマルカバー使用後の処理もコンパクトで容易にでき衛生的です。介護者や付き添いの方の負担も少なくなります。
【図面の簡単な説明】
【０００９】
【図１】オマルカバー正面図
【図２】オマルカバー横から見た断面図
【図３】オマルカバーをオマルに装着した図（拡大図底方向に折った５部分）
【図４】オマルカバー使用後断面図
【図５】オマルカバー使用後図
【考案を実施するための形態】
【実施例】
【００１０】
図１は、オマルカバーの正面図、１はオマルカバー内側紙素材、２は水分吸収材３はビニールや不透水素材、４はオマルカバー外側紙素材、５はオマルカバー使用後開口部も折り曲げ包み込む部分、６はテープ７はオマルカバー開口部です。
【００１１】
図２は、オマルカバー横から見た断面図です。
【００１２】
図３は、オマルカバーに装着した図です。８はオマルです。
【００１３】
図４は、オマルカバー使用後折り曲げて包み込んだ断面図です。
【００１４】
図５は、オマルカバー使用後折り曲げて包込んだ図です。
【符号の説明】
【００１５】
１．内側紙素材部分(再生紙も含む)
２．水分吸収材・消臭剤・紙素材(再生紙も含む)
３．不透水剤・ビニール
４．外側紙素材部分(再生紙も含む)
５．開口部包装部材
６．テープ
７．開口部
８．オマル
【図１】
0003179250.tif 000003
【図２】
0003179250.tif 000004
【図３】
0003179250.tif 000005
【図４】
0003179250.tif 000006
【図５】
0003179250.tif 000007
【手続補正書】
【提出日】平成24年7月12日(2012.7.12)
【手続補正１】
【補正対象書類名】明細書
【補正対象項目名】０００１
【補正方法】変更
【補正の内容】
【０００１】
本考案は体に障害が有り介護者や付き添いの方を必要とする方の為の、車椅子のトイレ機能付きや簡易トイレなどのオマル（簡易便器）に関するものである
【手続補正２】
【補正対象書類名】明細書
【補正対象項目名】０００６
【補正方法】変更
【補正の内容】
【０００６】
オマルにオマルカバー内側７の部分がオマルの開口部にセット出来、固定できるようになっています。開口部包装部材５をオマルの内側に折りこんで、その上部を開口部７で覆います。トイレ使用後オマルから７の部分を取り外し、開口部７を折り曲げ包み込みます。その上から開口部包装部材５で包み込みます。包み込んだ開口部包装部材５をテープ６でとめます。紐などで結んだり別の容器でまた包んだりする必要がないので介護者や付き添いの方の負担も少なくなります。
【手続補正３】
【補正対象書類名】明細書
【補正対象項目名】０００７
【補正方法】変更
【補正の内容】
【０００７】
本考案のオマルカバーの素材は、紙(再生紙も含む)・ビニール・水分吸収材・消臭剤・不透水素材などで出来ており、汚物や液体などの漏れもふせぎます。オマルカバーの開口部分はゴム・伸縮性素材・紙(再生紙も含む)素材を特徴とするオマルカバー。
【手続補正４】
【補正対象書類名】明細書
【補正対象項目名】００１０
【補正方法】変更
【補正の内容】
【００１０】
図１は、オマルカバーの正面図、１はオマルカバー内側紙素材、２は水分吸収材・消臭剤・紙素材（再生紙も含む）３はビニールや不透水素材、４はオマルカバー外側紙素材、５はオマルカバー使用後開口部も折り曲げ包み込む部分、６はテープ７はオマルカバー開口部です。
【手続補正５】
【補正対象書類名】実用新案登録請求の範囲
【補正対象項目名】請求項２
【補正方法】変更
【補正の内容】
【請求項２】
オマルカバー開口部とオマルカバー全体の素材は、紙素材(再生紙も含む)・水分吸収材・不透水剤・消臭剤・ゴム・伸縮材・ポリエチレン・ポリエステル(混ぜ合わせた素材も含む)であることを特徴とするオマルカバー。
【手続補正書】
【提出日】平成24年8月9日(2012.8.9)
【手続補正１】
【補正対象書類名】実用新案登録請求の範囲
【補正対象項目名】全文
【補正方法】変更
【補正の内容】
【実用新案登録請求の範囲】
【請求項１】
車椅子・簡易トイレなどのオマルにつけるオマルカバーにおいて、汚物を収納する収納  袋と、その収納袋を包み込むようにその外側に配置し、開口部を封止できるように一辺  を長くした開口部包装部材とからなるオマルカバー。
【請求項２】
オマルカバー開口部とオマルカバー全体の素材は、紙素材（再生紙も含む）・水分吸収  材・不透水剤・消臭剤・ゴム・伸縮材・ポリエチレン・ポリエステル（混ぜ合わせた素  材も含む）であることを特徴とする請求項１記載のオマルカバー。